(57)【特許請求の範囲】
【請求項１】
第１部材（１）と、該第１部材（１）と第１軸心（Ｃ1）廻りに揺動可能に枢結されると共にギア部（４）を備える第２部材（２）と、該第１部材（１）側に保持されかつ一面側が上記ギア部（４）に噛合可能な歯面（７）とされ他面側が上記第１部材（１）側に形成されたくさび面（８）に当接する当接面（９）とされて該歯面（７）が該ギア部（４）に噛合しかつ該当接面（９）が該くさび面（８）に当接し上記第２部材（２）が上記第１部材（１）に対して一方向へ揺動するのを抑制する浮動くさび部材（６）と、を具備する角度調整金具に於て、
該浮動くさび部材（６）を上記第２部材（２）の上記ギア部（４）へ押し付ける方向に弾発付勢する弾発板バネ部材（１３）と、上記ギア部（４）を上方から覆うように配設される板状の異物侵入防止用天板部材（２９）とを、一体状としたサブユニット体（２６）を具備し、
該サブユニット体（２６）の上記板バネ部材（１３）が上記第１部材（１）に取着され、上記天板部材（２９）が上記ギア部（４）及び上記浮動くさび部材（６）を上方から包囲していることを特徴とする角度調整金具。
【請求項２】
上記一体状のサブユニット体（２６）は、上記弾発板バネ部材（１３）と上記天板部材（２９）とを予め機械的に連結して組立てられている請求項１記載の角度調整金具。
【請求項３】
上記一体状のサブユニット体（２６）は、上記弾発板バネ部材（１３）を成型金型内に設置したインサート成型により形成している請求項１記載の角度調整金具。
【請求項４】
上記弾発板バネ部材（１３）は、側面視に於て、重心点（Ｇ）廻りに点対称形状のＺ型であり、中間連結部（１３Ａ）と、該中間連結部（１３Ａ）の両端から折曲げ状に連設した係止片部（１３Ｂ）（１３Ｃ）と、から成る請求項１，２又は３記載の角度調整金具。
【発明の詳細な説明】
【技術分野】
【０００１】
本発明は、角度調整金具に関する。
【背景技術】
【０００２】
従来、本出願人は、一方側の部材と他方側の部材との成す角度を調整する関節部材として角度調整金具を提案している（特許文献１参照）。
例えば、図１の斜視図に示すような背部１５と座部１６とを有する座いすは、背部１５の傾斜角度を調整できるよう背部１５と座部１６との間に角度調整機能を有する角度調整金具を備えている。
【０００３】
図８に示す従来の角度調整金具は、第１アーム１０１と、該第１アーム１０１と揺動可能に枢結されると共にギア部１０４を備える第２アーム１０２と、第１アーム１０１側に保持されかつ一面側がギア部１０４に噛合可能な歯面１０７とされ他面側が第１アーム１０１側に形成されたくさび面１０８に当接する当接面１０９とされて歯面１０７がギア部１０４に噛合しかつ当接面１０９がくさび面１０８に当接し第２アーム１０２が第１アーム１０１に対して一方向へ揺動するのを抑制する浮動くさび部材１０６とを、具備し、さらに、浮動くさび部材１０６を第２アーム１０２のギア部１０４へ押し付ける方向に弾発付勢する弾発部材１１３と、第２アーム１０２のギア部１０４を上方から覆うように配設された異物侵入防止部材１２６とを、備えている。
【先行技術文献】
【特許文献】
【０００４】
【特許文献１】特許第４４１８３８２号公報
【発明の概要】
【発明が解決しようとする課題】
【０００５】
しかし、従来の角度調整金具に係る弾発部材１１３は、図９に示すように、鋼線材を細長矩形環状に形成したバネ部材であり、その一端に切れ目１１４を有していた。弾発部材１１３は、切れ目１１４を有する一端と、連続状に繋がった他端とに（弾性の）違いが生じ、取付の方向が限定される。よって、角度調整金具の組立作業の際に、弾発部材１１３の取付方向を間違う虞れがあった。また、複数の弾発部材１１３…を部品庫や部品箱に保管しておく場合に、相互に絡まって繋がってしまう（図９参照）という欠点があった。
【０００６】
また、図８と図１０に示すように、従来の異物侵入防止部材１２６は、帯板状の天板部１２９と、天板部１２９の下方に延設され軸部材１２０に天板部１２９を支持するための支持片部１２８とを、備えている。異物侵入防止部材１２６は、ギア部１０４への異物の侵入を防止する目的で設けられる天板部１２９に対して、（補助的な役割の）支持片部１２８の体積が大きく、合成樹脂等の材料費のムダが多くなるという問題があった。
【０００７】
そこで、本発明は、上記の問題を解決する角度調整金具を提供することを目的とする。
【課題を解決するための手段】
【０００８】
本発明に係る角度調整金具は、第１部材と、該第１部材と第１軸心廻りに揺動可能に枢結されると共にギア部を備える第２部材と、該第１部材側に保持されかつ一面側が上記ギア部に噛合可能な歯面とされ他面側が上記第１部材側に形成されたくさび面に当接する当接面とされて該歯面が該ギア部に噛合しかつ該当接面が該くさび面に当接し上記第２部材が上記第１部材に対して一方向へ揺動するのを抑制する浮動くさび部材と、を具備する角度調整金具に於て、該浮動くさび部材を上記第２部材の上記ギア部へ押し付ける方向に弾発付勢する弾発板バネ部材と、上記ギア部を上方から覆うように配設される板状の異物侵入防止用天板部材とを、一体状としたサブユニット体を具備し、該サブユニット体の上記板バネ部材が上記第１部材に取着され、上記天板部材が上記ギア部及び上記浮動くさび部材を上方から包囲しているものである。
【０００９】
また、上記一体状のサブユニット体は、上記弾発板バネ部材と上記天板部材とを予め機械的に連結して組立てられているものである。
また、上記一体状のサブユニット体は、上記弾発板バネ部材を成型金型内に設置したインサート成型により形成するも良い。
また、上記弾発板バネ部材は、側面視に於て、重心点廻りに点対称形状のＺ型であり、中間連結部と、該中間連結部の両端から折曲げ状に連設した係止片部と、から成るものである。
【発明の効果】
【００１０】
本発明の角度調整金具によれば、弾発板バネ部材の取付方向を間違うことを防止でき、かつ、次々と迅速に組み立てることができる。また、材料費のムダを省いて、安価に製造できる。ギア部と浮動くさび部材との間に、ゴミ等の異物が侵入して動作しなくなるのを、効率よく防ぐことができ、故障の発生を防ぐことができる。
【図面の簡単な説明】
【００１１】
【図１】角度調整金具を有する座いすの斜視図である。
【図２】本発明の角度調整金具の実施の一形態を示した斜視図である。
【図３】角度調整金具の破断斜視図である。
【図４】角度調整金具の断面側面図である。
【図５】組立前のサブユニット体を示した斜視図である。
【図６】サブユニット体を示した斜視図である。
【図７】作用説明用の要部拡大側面図である。
【図８】従来の角度調整金具を示した断面側面図である。
【図９】従来の角度調整金具に係る弾発部材を示した説明用簡略図である。
【図１０】従来の角度調整金具に係る異物侵入防止部材を示した説明用側面図である。
【発明を実施するための形態】
【００１２】
以下、実施の形態を示す図面に基づき本発明を詳説する。
図１に示すように、本発明の角度調整金具Ａは、例えば、背部１５と座部１６とを有する座いすの関節部に用いられるものであり、座部１６と背部１５との傾斜角度を調整できるよう（座部１６側に固着される）第１部材１と（背部１５側に固着される）第２部材２との間に角度調整機能を備えている。なお、本発明の角度調整金具Ａは、座いす以外にも、ソファー、ヘッドレスト、フットレスト等にも使用可能であり、また、２つの構成部材が揺動するものに組み込み可能であり、その他に、扉を揺動開閉させる棚等にも使用できる。
【００１３】
図２〜図４に示すように、本発明の角度調整金具Ａは、第１部材１と、第１部材１と第１軸心Ｃ１廻りに揺動可能に枢結されると共にギア部４を備える第２部材２と、第１部材１側に保持されかつ一面側がギア部４に噛合可能な歯面７とされ他面側が第１部材１側に形成されたくさび面８に当接する当接面９とされて歯面７がギア部４に噛合しかつ当接面９がくさび面８に当接し第２部材２が第１部材１に対して一方向へ揺動するのを抑制する浮動くさび部材６と、を具備している。
【００１４】
さらに、角度調整金具Ａは、浮動くさび部材６を第２部材２のギア部４へ押し付ける方向に弾発付勢する弾発板バネ部材１３と、第２部材２のギア部４を上方から覆うように配設される異物侵入防止用天板部材２９とを、一体状としたサブユニット体２６を具備している。
弾発板バネ部材１３は、薄い鋼板材を折り曲げて形成した側面視Ｚ型のバネ部材であって、帯板状の中間連結部１３Ａと、中間連結部１３Ａの両端に連設されると共に（略直角）折曲状に形成される一対の係止片部１３Ｂ，１３Ｃとを、備えている。図４に示す側面視に於て、板バネ部材１３は、中間連結部１３Ａの上下方向中央位置で、かつ、その厚さ方向の中間位置に、重心点Ｇを有しており、係止片部１３Ｂ，１３Ｃが、重心点Ｇ廻りの点対称形状として形成されている。即ち、板バネ部材１３は、係止片部１３Ｂ，１３Ｃを（上下）逆さまに引っ繰り返しても同一の形状となるように形成されている。
異物侵入防止用天板部材２９は、合成樹脂から成る成型品であって、その横幅Ｗは、後述する第１部材１の壁部１７，１７の間隔より僅かに大きく設定されている。天板部材２９は、その長手方向の一端部２９Ａを下傾状とし、かつ、他端部２９Ｂを上傾状（隆起状）に形成している。天板部材２９の中間位置には、長手方向に連通する差込孔３０が形成されている。
【００１５】
図５と図６に示すように、一体状のサブユニット体２６は、弾発板バネ部材１３と天板部材２９とを予め機械的に連結して組立てられている。
弾発板バネ部材１３は、２つの内１つの係止片部１３Ｃを、天板部材２９の差込孔３０に、一端部２９Ａ側から滑り込ませて嵌合している。サブユニット体２６は、本発明の角度調整金具Ａを組み立てる前工程で、弾発板バネ部材１３と天板部材２９を連結して一個構成部品として組み立てておく。弾発板バネ部材１３は、天板部材２９へ（上下一対の）係止片部１３Ｂ，１３Ｃのいずれを取付けても良く、その取付作業では上下の方向性を気にせずに、容易かつ迅速に作業ができる。
【００１６】
ここで、角度調整金具Ａの構成について、さらに説明を加える。
図２〜図４に於て、第１部材１は、一対の対面する壁部１７，１７を有するケース部３と、ケース部３から延伸する円筒形状の第１取付部１８と、を有し、第１取付部１８を座部１６側に差し込んで固着可能としている。壁部１７，１７は、夫々の中央部に、貫通孔２１，２１が設けられ、第１軸心Ｃ１を中心とする軸孔を形成している。
第２部材２は、相互に平行な２枚のギア板部４５，４５から成ると共にケース部３内に収容状態とされるギア部４と、ギア部４から延伸する円筒形状の第２取付部１９と、を有し、第２取付部１９を背部１５側に差し込んで固着可能としている。ギア板部４５，４５は、夫々の中央部に、貫通孔２２，２２が設けられ、第１軸心Ｃ１を中心とする軸孔を形成している。
ギア部４は、第１軸心Ｃ１を中心とする円弧線に沿って形成され、四半円（９０°）を少し（１０°〜３０°程度）越える範囲（１００°〜１２０°）に所定等ピッチのギア（歯）を有する。
そして、第１部材１と第２部材２は、軸部材２０により枢結される。即ち、第２部材２のギア部４を、第１部材１の壁部１７，１７に挟んだ状態として、軸部材２０を、第１部材１の貫通孔２１，２１、及び、第２部材２の貫通孔２２，２２に挿通させてカシメ加工することで、第２部材２が、第１部材１に対し第１軸心Ｃ１廻りに揺動可能となる。
【００１７】
第１部材１（のケース部３に）は、くさび形窓部５を備えている。くさび形窓部５は、ケース部３の壁部１７，１７に夫々同一形状で形成されており、ケース部３を貫通状としている。
図４と図７に示すように、くさび形窓部５は、側面視で、第１軸心Ｃ１側に向かって凹となるように弧状に形成され、（ギア部４より大径の）外方側面に円弧状のくさび面８が形成され、（ギア部４より小径の）内方側面に第１軸心Ｃ１を中心とする円弧面２３が形成されている。従って、ギア部４のギア歯は、くさび形窓部５から見える状態となる。
くさび面８は、円弧形状に形成され、時計回り方向に縮小するくさび形の孔となる。言い換えると、くさび面８は、ギア部４に次第に接近していくように形成されている。つまり、外方側のくさび面８とギア部４の外周歯面の間に空間が形成され、その空間内に浮動くさび部材６が移動可能に配設されている。
【００１８】
図７に示すように、浮動くさび部材６は、一面側に、ギア部４のピッチ円の曲率半径と同一となる凹状弯曲面に複数のギア歯が形成された歯面７を有し、歯面７とギア部４が噛み合うように構成されている。また、浮動くさび部材６の他面側には、くさび面８の曲率半径と（略）同一となるように形成した当接面９を有している。浮動くさび部材６の幅寸法は、第１部材１のケース部３の幅寸法と略同一に設定されている。即ち、浮動くさび部材６の当接面９の両側縁部がくさび形窓部５（壁部１７，１７）のくさび面８に当接可能である。なお、図示省略するが、この浮動くさび部材６は、長尺状引抜き鉄鋼材を、所定長さ寸法に切断して作製するも良い。
【００１９】
そして、浮動くさび部材６は、歯面７の後縁部に誘導勾配面（段付き面）２７を形成し、かつ、くさび形窓部５は、内方側の円弧面２３に誘導勾配面２７と当接可能な当たり用段付部２８を形成している。くさび形窓部５は、浮動くさび部材６を収容して歯面７とギア部４の噛合状態を解除させる退避空間部１１を備えている。
また、第２部材２は、浮動くさび部材６を押圧するための押し返し突部１０を、ギア部４の一端側（上端側）に有し、かつ、くさび形窓部５の退避空間部１１に収容された浮動くさび部材６を押し出す押し出し突部１２を、ギア部４の他端側（下端側）に、有している。
【００２０】
第１部材１と第２部材２とを軸部材２０により枢結する際に、くさび形窓部５に浮動くさび部材６を挿通すると共に、歯面７とギア部４とを噛合状態とし、さらに、弾発板バネ部材１３の係止片部１３Ｂを第１部材１のケース部３下部に設けた係止部３１に係止し、かつ、中間連結部１３Ａを当接面９に当接させて、浮動くさび部材６をギア部４へ押し付ける方向に常時弾発付勢するように構成している。サブユニット体２６は、浮動くさび部材６と第１部材１のケース部３の間に嵌込まれて保持されており、天板部材２９は、ギア部４及び浮動くさび部材６を上方から常時包囲して、ギア部４と浮動くさび部材６との間に、ゴミ等の異物が侵入するのを防止している。この構成により、角度調整金具Ａの故障頻度を減少している。
【００２１】
次に、図２に示すように、角度調整金具Ａは、浮動くさび部材６がくさび形窓部５から脱落するのを防止する脱落防止カバー３３を備えている。
脱落防止カバー３３は、くさび形窓部５に浮動くさび部材６を挿通した状態で、第１部材１のケース部３を左右外側から包囲するように配設されるものであり、上方開口状且つ略コの字状の薄板体である。具体的には、脱落防止カバー３３は、側壁３４と、底壁３５とを有している。側壁３４は、ケース部３のくさび形窓部５に対応する位置に、壁部１７の外面との間に僅かな隙間を形成する離間面部３４ａが、小段差部３６をもって形成されている。離間面部３４ａにより、浮動くさび部材６の端面と、側壁３４との摩擦力が低く、浮動くさび部材６がくさび形窓部５内をスムーズに移動するのを妨げないように構成している。なお、側壁３４には、貫通孔２１に対応する位置に、軸部材２０を挿通するための孔部３７を貫設している。
【００２２】
なお、本発明の角度調整金具Ａは、設計の変更が可能であって、例えば、上記一体状のサブユニット体２６は、弾発板バネ部材１３を成型金型内に設置したインサート成型により（天板部材２９と一体状に）形成しているものであって良い。
図示省略するが、本発明に於て、インサート成型とは、天板部材２９用の金型内に板バネ部材１３を装入した状態で、樹脂材料を流し込み、天板部材２９内に板バネ部材１３の一部を埋めるように一体化する成型方法をいうのであって、精度の高い成型品を形成することが可能である。
【００２３】
上述した本発明の角度調整金具の使用方法（作用）について説明する。
図１に於て、背部１５と座部１６は、相互に離れるように傾倒して面状に展開した傾倒状態、言い換えると、第１部材１と第２部材２とが直線状（１８０°位相）となる状態（以下、最大展開状態と呼ぶ）から、徐々に第２部材２が第１軸心Ｃ１廻りに揺動し、第１部材１との間で任意の傾斜角度で折り畳み姿勢を保持し、そして、背部１５が座部１６に対して略直角状となる起立状態（以下、最大折り畳み状態と呼ぶ）となるまで揺動可能である。
【００２４】
図７は、ギア部４とくさび形窓部５内の浮動くさび部材６の動作の様子を示した要部拡大図である。
図７（ａ）は、最大展開状態に対応し、浮動くさび部材６は、ギア部４に噛み合うと共にくさび面８に当接し、第２部材２が（図４における時計回りに）揺動しないように係止している。
ここから背部１５が起立するように第２部材２を揺動させると、図７（ｂ）に示すように、サブユニット体２６の弾発板バネ部材１３（図４参照）にてギア部４へ弾発付勢されつつ噛合する浮動くさび部材６は、その当接面９がくさび形窓部５のくさび面８から離れて、浮動くさび部材６とくさび形窓部５との間に僅かな隙間ｄが生じる。そして、さらに第２部材２を揺動させ、図７（ｃ）に示すように、浮動くさび部材６の誘導勾配面２７が、くさび形窓部５の当たり用段付部２８と当接状となって、隙間ｄにより浮動くさび部材６が逃げて、歯面７がギア部４から離れることとなり、浮動くさび部材６の歯面７がギア部４をカチカチと音を立てて乗り越える。
このように、浮動くさび部材６は、（弾発板バネ部材１３の弾発付勢力をもって）歯面７がギア部４に噛合し、かつ、当接面９がくさび面８に当接し、ギア部４とくさび面８との間に挟まれる浮動くさび部材６のくさび作用により、第２部材２が第１部材１に対して展開するのを抑制し、背部１５と座部１６を任意の折り畳み角度（傾斜角度）で保持する。
【００２５】
そして、図７（ｄ）に示すように、第２部材２が第１部材１に対して最大折り畳み状態まで揺動すると、押し返し突部１０が浮動くさび部材６を押圧する。その後、図７（ｅ）に示すように、浮動くさび部材６は、押し返し突部１０に押され、弾発板バネ部材１３の弾発付勢力に抗して誘導勾配面２７がくさび形窓部５の当たり用段付部２８を乗り越えて、退避空間部１１に収容される。つまり、浮動くさび部材６は、退避空間部１１に収容されることで、ギア部４から離間した状態となり、歯面７とギア部４との噛合状態を解除する。従って、第２部材２は、第１部材１に対する揺動規制が解除され、自由な展開・折畳みが可能となる。
【００２６】
そして、第２部材２を、第１部材１に対し直線状となる最大展開状態まで揺動させると、図７（ｆ）に示すように、ギア部４は、押し出し突部１２により、退避空間部１１に収容された浮動くさび部材６（の誘導勾配面２７）を押圧して、弾発板バネ部材１３の弾発付勢力をもって歯面７とギア部４とを噛合状態へ戻す。
【００２７】
つまり、くさび形窓部５内に於て、浮動くさび部材６は、最大展開状態から最大折り畳み状態に向けて次第に第２部材２を揺動させていく過程で、ギア部４とくさび面８に挟まれて、そのくさび作用により、くさび形窓部５を有する第１部材１と、ギア部４を有する第２部材２とを、任意の折り畳み角度（傾斜角度）にて調整可能とし、その姿勢を保持させることができ、最大折り畳み状態を越えて第２部材２を揺動させると、浮動くさび部材６は、弾発板バネ部材１３の弾発付勢力に抗して退避空間部１１に収容され、第１部材１と第２部材２とが相互に揺動自在となる。そして、第２部材２が最大展開状態に戻されると、浮動くさび部材６は、退避空間部１１から押し出され、歯面７とギア部４とを噛合状態に復元する。
【００２８】
サブユニット体２６は、天板部材２９により、第２部材２のギア部４及び浮動くさび部材６を上方から覆い、ギア部４と浮動くさび部材６との間に、イスの布体の一部やゴミ等の異物が侵入するのを防止する。
サブユニット体２６は、機械的、又は、インサート成型により、弾発板バネ部材１３と天板部材２９とを予め一体状に連結しているため、組立て作業時に、容易に拾い上げて次々と取着することができ、弾発板バネ部材１３…が相互に絡まることが著しく減少する。また、異物侵入防止用の天板部材２９は、比較的少ない樹脂材料で形成することができ、材料費を節約する。
【００２９】
以上のように、本発明に係る角度調整金具は、第１部材１と、第１部材１と第１軸心Ｃ１廻りに揺動可能に枢結されると共にギア部４を備える第２部材２と、第１部材１側に保持されかつ一面側がギア部４に噛合可能な歯面７とされ他面側が第１部材１側に形成されたくさび面８に当接する当接面９とされて歯面７がギア部４に噛合しかつ当接面９がくさび面８に当接し第２部材２が第１部材１に対して一方向へ揺動するのを抑制する浮動くさび部材６と、を具備する角度調整金具に於て、浮動くさび部材６を第２部材２のギア部４へ押し付ける方向に弾発付勢する弾発板バネ部材１３と、ギア部４を上方から覆うように配設される異物侵入防止用天板部材２９とを、一体状としたサブユニット体２６を具備するので、弾発板バネ部材１３の方向を間違うことなく取付けることができ、かつ、次々と迅速に組み立てることができる。また、異物侵入防止用天板部材２９を、安価に製造できる。ギア部４と浮動くさび部材６との間に、イスの布体の一部やゴミ等の異物が侵入して動作しなくなるのを防止して、故障の発生を防ぐことができる。
【００３０】
また、一体状のサブユニット体２６は、弾発板バネ部材１３と天板部材２９とを予め機械的に連結して組立てられているので、取付が容易となり、大量生産が可能である。
【００３１】
また、一体状のサブユニット体２６は、弾発板バネ部材１３を成型金型内に設置したインサート成型により形成しているので、サブユニット体２６を精度良く作製することができ、かつ、取付が容易となり、大量生産が可能である。
【００３２】
また、弾発板バネ部材１３は、側面視に於て、重心点Ｇ廻りに点対称形状のＺ型であり、中間連結部１３Ａと、中間連結部１３Ａの両端から折曲げ状に連設した係止片部１３Ｂ，１３Ｃと、から成るので、係止片部１３Ｂ，１３Ｃを（上下）逆さまに引っ繰り返しても同一の形状となり、天板部材２９への取付作業、又は、金型内への装入作業が容易かつ迅速に行ない得る。
【符号の説明】
【００３３】
１  第１部材
２  第２部材
４  ギア部
６  浮動くさび部材
７  歯面
８  くさび面
９  当接面
１３  弾発板バネ部材
１３Ａ  中間連結部
１３Ｂ，１３Ｃ  係止片部
２６  サブユニット体
２９  天板部材
Ｃ１  第１軸心
Ｇ  重心点
【図１】
0005514753.tif 000002
【図２】
0005514753.tif 000003
【図３】
0005514753.tif 000004
【図４】
0005514753.tif 000005
【図５】
0005514753.tif 000006
【図６】
0005514753.tif 000007
【図７】
0005514753.tif 000008
【図８】
0005514753.tif 000009
【図９】
0005514753.tif 000010
【図１０】
0005514753.tif 000011